(57)【要約】【課題】本発明は、要求特性の異なるフィルタ装置を作製する場合であっても、箱体や共振素子等の構成部材を容易に共用することができるフィルタ装置を提供することを目的とするものである。【解決手段】本発明のフィルタ装置は、金属製の箱体１１と、この箱体１１の内部１１ａに設置された少なくとも２つの共振素子１３とを備え、前記少なくとも２つの共振素子１３の間に前記箱体１１と絶縁された導体２０ａからなる結合容量調整素子２０を配置したものである。【選択図】図２
2008182303.tif 000002
【特許請求の範囲】
【請求項１】
金属製の箱体と、この箱体の内部に設置された少なくとも２つの共振素子とを備え、前記少なくとも２つの共振素子の間に前記箱体と絶縁された導体からなる結合容量調整素子を配置したフィルタ装置。
【請求項２】
結合容量調整素子に絶縁体を取り付け、かつこの絶縁体を箱体に固定した請求項１記載のフィルタ装置。
【請求項３】
金属製の箱体の開口部を塞ぐ蓋を備え、かつこの蓋に調整ネジを取り付け、さらにこの調整ネジを結合容量調整素子に対向させた請求項１記載のフィルタ装置。
【発明の詳細な説明】
【技術分野】
【０００１】
本発明は、各種通信機器などに使用されるフィルタ装置に関するものである。
【背景技術】
【０００２】
従来におけるこの種のフィルタ装置は、図４、図５に示すように構成されていた。図４は従来のフィルタ装置の水平断面図、図５は図４のＡ−Ａ線断面図である。
【０００３】
図４、図５において、１はアルミダイキャストなどの金属からなる箱体、２は前記箱体１の開口部を塞ぐ金属からなる蓋である。そして前記箱体１の内部１ａには、円柱状の誘電体からなる複数の共振素子３が支持台４を介して取り付けられ、前記箱体１とで共振器５を構成している。また、前記蓋２には各共振素子３と対向する位置に調整ネジ６が取り付けられているもので、この調整ネジ６で共振器５の共振周波数を調整している。そしてまた、隣接する共振器５と共振器５の間には共振器５の相互を結合する空間５ａがあり、かつこの空間５ａの幅は壁１ｂによって規定され、調整ネジ７で共振器５の間の結合を微調整している。
【０００４】
また、前記箱体１における入力側の共振素子３と対向する位置には同軸形状の入力コネクタ８が取り付けられ、かつ箱体１における出力側の共振素子３と対向する位置には同軸形状の出力コネクタ９が取り付けられている。
【０００５】
なお、この出願の発明に関する先行技術文献情報としては、例えば、特許文献１が知られている。
【特許文献１】特開２００２−２６１５０９号公報
【発明の開示】
【発明が解決しようとする課題】
【０００６】
しかしながら、上記した従来のフィルタ装置においては、設計仕様の異なるフィルタ装置を作製するためには箱体１を作り直す必要があった。
【０００７】
例えば、通過帯域を狭める仕様であれば共振器５の間の調整ネジ７を上から下げていくことにより結合容量を減らすことが可能であるが、通過帯域を広げる場合には、垂直方向の調整ネジ７の調整では結合容量を増やすことはできない。この場合には、図６に示すように水平方向に調整ネジ１０を通す、または、図７に示すように共振器５の間の空間５ａの幅を規定する壁１ｂを取り除くなどの方法がある。
【０００８】
しかしながら、図６に示すように、水平方向に調整ネジ１０を通す方法では、箱体１の横から水平方向に調整ネジ１０を通すためのネジ穴を加工する必要があり、この加工は容易ではない。また、この場合は、箱体１の横に調整ネジ１０の頭が突出してしまうため、設置スペースを多く必要とするものである。
【０００９】
また、図７に示すように共振器５を構成する箱体１の内部１ａの壁１ｂの一部１ｃを取り除く方法は、箱体１の内部１ａの壁１ｂを切除する必要があり、この加工も容易ではない。
【００１０】
以上のように従来のフィルタ装置では、要求特性の異なるフィルタ装置を作製する場合、箱体１や共振素子３等の構成部材の共用が困難で、箱体１を作り直す必要があった。
【００１１】
本発明は上記従来の課題を解決するもので、要求特性の異なるフィルタ装置を作製する場合であっても、箱体や共振素子等の構成部材を容易に共用することができるフィルタ装置を提供することを目的とするものである。
【課題を解決するための手段】
【００１２】
上記目的を達成するために、本発明は以下の構成を有するものである。
【００１３】
本発明の請求項１に記載の発明は、金属製の箱体と、この箱体の内部に設置された少なくとも２つの共振素子とを備え、前記少なくとも２つの共振素子の間に前記箱体と絶縁された導体からなる結合容量調整素子を配置したもので、この構成によれば、少なくとも２つの共振素子の間に箱体と絶縁された導体からなる結合容量調整素子を配置しているため、共振器間の結合容量を容易に増加させることが可能となって、フィルタ装置の通過帯域を容易に広げることができ、これにより、要求特性の異なるフィルタ装置を作製する場合であっても、箱体や共振素子等の構成部材を容易に共用化して作製することができるという作用効果を有するものである。
【００１４】
本発明の請求項２に記載の発明は、特に、結合容量調整素子に絶縁体を取り付け、かつこの絶縁体を箱体に固定したもので、この構成によれば、結合容量調整素子に絶縁体を取り付け、かつこの絶縁体を箱体に固定しているため、結合容量調整素子を容易に固定することができるという作用効果を有するものである。
【００１５】
本発明の請求項３に記載の発明は、特に、金属製の箱体の開口部を塞ぐ蓋を備え、かつこの蓋に調整ネジを取り付け、さらにこの調整ネジを結合容量調整素子に対向させたもので、この構成によれば、調整ネジを結合容量調整素子に対向させているため、この調整ネジにより共振器間の結合容量をより細かく微調整することができるという作用効果を有するものである。
【発明の効果】
【００１６】
以上のように本発明のフィルタ装置は、金属製の箱体と、この箱体の内部に設置された少なくとも２つの共振素子とを備え、前記少なくとも２つの共振素子の間に前記箱体と絶縁された導体からなる結合容量調整素子を配置しているため、共振器間の結合容量を容易に増加させることが可能となって、フィルタ装置の通過帯域を容易に広げることができ、これにより、要求特性の異なるフィルタ装置を作製する場合であっても、箱体や共振素子等の構成部材を容易に共用化して作製することができるという優れた効果を奏するものである。
【発明を実施するための最良の形態】
【００１７】
以下、本発明の一実施の形態におけるフィルタ装置について、図面を参照しながら説明する。
【００１８】
図１は本発明の一実施の形態におけるフィルタ装置の水平断面図、図２は図１のＢ−Ｂ線断面図、図３は図１のＣ−Ｃ線断面図である。
【００１９】
図１、図２、図３において、１１はアルミダイキャストなどの金属からなる箱体、１２は前記箱体１１の開口部を塞ぐ金属からなる蓋である。そして前記箱体１１の内部１１ａには、円柱状の誘電体からなる複数の共振素子１３が支持台１４を介して取り付けられ、前記箱体１１とで共振器１５を構成している。また、前記蓋１２には各共振素子１３と対向する位置に調整ネジ１６が取り付けられているもので、この調整ネジ１６で共振器１５の共振周波数を調整する。そしてまた、隣接する共振器１５と共振器１５の間には共振器１５の相互を結合する空間１５ａがあり、かつこの空間１５ａの幅は壁１１ｂによって規定されている。また、前記共振器１５と共振器１５の間において、蓋１２に取り付けた調整ネジ１７により共振器１５の間の結合を微調整している。
【００２０】
また、前記箱体１１における入力側の共振素子１３と対向する位置には同軸形状の入力コネクタ１８が取り付けられ、かつ箱体１１における出力側の共振素子１３と対向する位置には同軸形状の出力コネクタ１９が取り付けられている。そして、この入力コネクタ１８と出力コネクタ１９は、それぞれ対向する共振素子１３と容量結合している。
【００２１】
そしてまた、前記２つの共振器１５の間には、結合容量調整素子２０を配置しているもので、そしてこの結合容量調整素子２０は、箱体１１から絶縁するとともに壁１１ｂに対して一定の距離を隔てて対面している一対の導体２０ａと、この導体２０ａを箱体１１に固定する絶縁体２０ｂとにより構成されている。
【００２２】
上記のように構成された本発明の一実施の形態におけるフィルタ装置は、結合容量調整素子２０を設けているため、この結合容量調整素子２０を挟む共振器１５間の結合容量を増加させることが可能となり、これにより、簡単な加工でフィルタの帯域幅を広げる方向の調整をすることが可能となるものである。そして、この共振器１５間の結合の増加は、壁１１ｂと導体２０ａとの間の距離と対向面積とによって決まるため、ここで取り付けられる結合容量調整素子２０を適宜選択することにより、共振器１５間の結合容量の増加量を変えることができるものである。また、結合容量調整素子２０の上面は調整ネジ１７と対向しているため、結合容量調整素子２０と調整ネジ１７との結合が生じることになり、これにより、調整ネジ１７による調整がより細かに行えるものである。
【００２３】
以上のように本発明の一実施の形態におけるフィルタ装置は、２つの共振素子１３の間に箱体１１と絶縁された導体２０ａからなる結合容量調整素子２０を配置しているため、共振器１５間の結合容量を容易に増加させることが可能となって、フィルタ装置の通過帯域を容易に広げることができ、これにより、要求特性の異なるフィルタ装置を作製する場合であっても、箱体１１や共振素子１３等の構成部材を容易に共用化して作製することができるものである。
【産業上の利用可能性】
【００２４】
本発明に係るフィルタ装置は、金属製の箱体と、この箱体の内部に設置された少なくとも２つの共振素子とを備え、前記少なくとも２つの共振素子の間に前記箱体と絶縁された導体からなる結合容量調整素子を配置することにより、要求特性の異なるフィルタ装置を作製する場合であっても、箱体や共振素子等の構成部材を容易に共用化して作製することができるという効果を有するものであり、各種通信機器に用いることにより有用となるものである。
【図面の簡単な説明】
【００２５】
【図１】本発明の一実施の形態におけるフィルタ装置の水平断面図
【図２】図１のＢ−Ｂ線断面図
【図３】図１のＣ−Ｃ線断面図
【図４】従来のフィルタ装置の水平断面図
【図５】図４のＡ−Ａ線断面図
【図６】従来のフィルタ装置の問題点を示す図
【図７】従来のフィルタ装置の問題点を示す図
【符号の説明】
【００２６】
１１  箱体
１２  蓋
１３  共振素子
１７  調整ネジ
２０  結合容量調整素子
２０ａ  導体
２０ｂ  絶縁体
【図１】
2008182303.tif 000003
【図２】
2008182303.tif 000004
【図３】
2008182303.tif 000005
【図４】
2008182303.tif 000006
【図５】
2008182303.tif 000007
【図６】
2008182303.tif 000008
【図７】
2008182303.tif 000009